(57)【要約】【課題】非専門家である一般人であっても、気軽に、容易に、効率良く、かつ、正確に放射線量を測定できるようにする。【解決手段】放射線量測定装置１００は、測定状態検知部４を備えている。放射線量測定装置１００が正確に線量を測定するためには、いくつかの測定条件を守る必要がある。そこで、測定状態検知部４の放射線量測定装置１００を検知し、測定状態が測定条件を満たすように、ユーザーに対して測定方法を通知する。【選択図】図１
2014126555.tif 000002
【特許請求の範囲】
【請求項１】
放射線量を測定する放射線量測定装置であって、
放射線量を測定するセンサーと、
前記センサーにより放射線量を測定するための前記放射線量測定装置の測定条件を記憶した記憶手段と、
前記放射線量測定装置の測定状態を検出する検出手段と、
前記検出手段により検出された測定状態と前記記憶手段に記憶されている測定条件とが一致していない場合に、前記放射線量測定装置の測定状態を変更するよう通知する通知手段と
を有することを特徴とする放射線量測定装置。
【請求項２】
前記通知手段は、前記検出手段により検出された測定状態と前記記憶手段に記憶されている測定条件との差異を通知することを特徴とする請求項１に記載の放射線量測定装置。
【請求項３】
前記通知手段は、前記検出手段により検出された測定状態を前記記憶手段に記憶されている測定条件に近づけるための操作方法を通知することを特徴とする請求項１または２に記載の放射線量測定装置。
【請求項４】
前記検出手段は、前記放射線量測定装置の測定状態として、測定対象物または地表面から前記放射線量測定装置までの距離を測定する距離測定手段を有し、
前記通知手段は、前記距離測定手段により測定された距離と、前記測定条件である距離閾値とに応じて、前記放射線量測定装置までの距離を前記距離閾値に近づけるように促す通知を出力することを特徴とする請求項３に記載の放射線量測定装置。
【請求項５】
前記検出手段は、前記放射線量測定装置の測定状態として、前記放射線量測定装置が水平に設置されているかどうかを検出する水平測定手段を有し、
前記通知手段は、前記放射線量測定装置が水平に設置されていなければ、前記放射線量測定装置を水平に設置するよう促す通知を出力することを特徴とする請求項３または４に記載の放射線量測定装置。
【請求項６】
前記水平測定手段は、前記放射線量測定装置の左右前後方向における水平面から傾きを測定し、
前記通知手段は、前記放射線量測定装置を左右前後方向のどちらの方向に傾けるべきかを通知することを特徴とする請求項５に記載の放射線量測定装置。
【請求項７】
前記検出手段は、前記センサーが障害物によって遮蔽されているかどうかを検知する遮蔽検知手段をさらに備え、
前記通知手段は、前記センサーが障害物によって遮蔽されている場合に、前記センサーを障害物によって遮蔽しないように促す通知を出力することを特徴とする請求項３ないし６のいずれか１項に記載の放射線量測定装置。
【請求項８】
前記検出手段は、前記放射線量測定装置が向いている方角を検知する方角検知手段をさらに備え、
前記通知手段は、前記方角検知手段により検知された前記放射線量測定装置が向いている方角が前記測定条件を満たしていないときに、前記放射線量測定装置を所定の方角に向けるよう通知することを特徴とする請求項３ないし７のいずれか１項に記載の放射線量測定装置。
【請求項９】
前記検出手段は、前記放射線量測定装置に加えられる衝撃を検知する衝撃検知手段を有し、
前記通知手段は、前記衝撃が検知されると、衝撃を加えないように促す通知を出力することを特徴とする請求項１ないし３のいずれか１項に記載の放射線量測定装置。
【請求項１０】
前記検出手段は、前記放射線量測定装置の高度、前記放射線量測定装置に対する風の風向、風量のうちいずれかを検出する手段であることを特徴とする請求項１ないし３のいずれか１項に記載の放射線量測定装置。
【請求項１１】
前記検出手段は、前記放射線量測定装置の複数の測定状態を検出し、
前記通知手段は、前記検出手段により検出された複数の測定状態と、それに対応して前記記憶手段に記憶されている複数の測定条件とがどの程度一致しているかを示すデータを出力することを特徴とする請求項１ないし１０のいずれか１項に記載の放射線量測定装置。
【請求項１２】
前記記憶手段に記憶するための前記測定条件を入力する入力手段をさらに備えることを特徴とする請求項１ないし１１のいずれか１項に記載の放射線量測定装置。
【発明の詳細な説明】
【技術分野】
【０００１】
本発明は放射線量測定装置に関するものである。
【背景技術】
【０００２】
従来、放射線量測定装置は、原子力発電所、放射線関連の研究所、病院等における放射線管理区域内で放射線業務に携わる作業員が主に用いるものであった。たとえば放射線管理区域内で、放射線発生装置の事故や故障による放射線漏れを検知することで、作業員は、安全な場所に退避できる。また、放射線量測定装置は、日常の業務中に作業員が被爆する放射線の吸収線量（μＳｖ）を計測することもある。しかし、東日本大震災の影響による福島第一原発事故の発生以降、放射線量測定装置は、一般的な家庭でも利用されている。たとえば、放射線量測定装置は、ホットスポットと呼ばれるような放射線量の高い地域の把握や個人的に被爆線量の管理を行うために利用されている。
【０００３】
このような放射線量測定装置としては、一般向けのガイガーカウンターやシンチレータと呼ばれるタイプの小型放射線量測定装置が存在する。ユーザーは、測定を実行する場所に小型放射線量測定装置を持ち運び、装置本体または装置の一部分である放射線を検出するプローブを手で保持し、空間の放射線量を測定する。
【０００４】
ところで、測定装置の位置や方向等の測定条件に依存して、測定結果に大きなばらつきが発生してしまう。とりわけ、ユーザーが手で保持するためイプの測定装置では、測定装置の位置や方向等の測定条件が安定しにくく、また、ユーザーの身長などに依存してユーザーごとに異なりやすい。
【０００５】
文部科学省は、非特許文献１を発行し、測定基準の統一化を図ることとした。非特許文献１によれば、空間線量率の計測時の注意点として、測定装置またはプローブの地表からの距離を１ｍとすること、地表面に平行な方向へ保つこと等の条件が挙げられている。しかし、実際にはユーザーが目視により適当に測定装置の位置を決めてしまっていたり、手で測定装置を保持しているために測定中に測定装置の位置が変わってしまったりするため、必ずしもガイドラインに沿った測定条件を満たして測定が行われていないという課題がある。また、これらの測定条件を正確に満たした測定を行おうとした場合には、スケール等の道具を用いて正確に位置を定める等の作業が必要となり、利便性が大きく損なわれる。よって、非専門家である一般人であっても、気軽に、容易に、効率良く、かつ、正確に放射線量測定を行うことは依然として困難であった。
【０００６】
特許文献１によれば、サーベイメータにより廃棄物等の表面汚染密度を高精度に計測するために、プローブを移動させる一定速度をユーザーに示す技術が提案されている。
【先行技術文献】
【非特許文献】
【０００７】
【非特許文献１】放射線測定に関するガイドライン、文部科学省、平成２３年１０月２１日
【特許文献】
【０００８】
【特許文献１】特許第４４４３５０７号公報
【発明の概要】
【発明が解決しようとする課題】
【０００９】
特許文献１に記載の発明によれば、表面汚染密度を計測するために、プローブを一定速度で移動させることが可能になる。具体的に、特許文献１に記載の発明によれば、複数の発光素子を所定の速度で順番に発光させることで、プローブの移動速度をユーザーに指示することができる。しかし、特許文献１に記載の発明は、移動速度を指示しているだけであり、指示した速度でユーザーがプローブを移動させているかどうかを検出してはいない。専門家など、放射線量測定装置を熟知したユーザーであれば、移動速度を発光素子列で指示するだけでも十分かもしれないが、非専門家である一般人にとってはこれだけでは十分とは言えない。つまり、放射線量測定装置の測定状態が所定の測定条件を満たすようにするためのより改良された手法が市場から要求されているといえよう。
【００１０】
そこで、本発明は、使用者によらず、放射線量を適切に測定できるようにすることを目的とする。
【課題を解決するための手段】
【００１１】
本発明は、たとえば、
放射線量を測定する放射線量測定装置であって、
放射線量を測定するセンサーと、
前記センサーにより放射線量を測定するための前記放射線量測定装置の測定条件を記憶した記憶手段と、
前記放射線量測定装置の測定状態を検出する検出手段と、
前記検出手段により検出された測定状態と前記記憶手段に記憶されている測定条件とが一致していない場合に、前記放射線量測定装置の測定状態を変更するよう通知する通知手段と
を有することを特徴とする。
【発明の効果】
【００１２】
本発明によれば、放射線量測定装置の測定状態を測定し、測定状態が所定の測定条件を満たしていなければ、放射線量測定装置の測定状態を変更するよう通知がなされる。よって、使用者によらず、非専門家である一般人であっても、放射線量を適切に測定することができるようになる。
【図面の簡単な説明】
【００１３】
【図１】図１は本発明の第一実施形態に係る放射線量測定装置１００が備える機能を示すブロック図である。
【図２】図２は放射線検知部の機能を示すブロック図である。
【図３】図３は演算制御部の動作を示すフローチャートである。
【図４】図４は測定状態が所定の測定条件を満たしていないときの割り込み処理を示すフローチャートである。
【図５】図５は測定状態センサーを用いて検知される測定状態と、測定状態センサーとして採用可能なセンサーの一例とを示す図である。
【図６】図６は地表面から放射線量測定装置までの距離を測定条件とした適用例における測定状態検知部の動作を示すフローチャートである。
【図７】図７は放射線の測定方向を測定条件とした適用例における測定状態検知部の動作を示すフローチャートである。
【図８】図８は放射線検知器のセンサー面を障害物等により遮蔽しないことを測定条件とした適用例における測定状態検知部の動作を示すフローチャートである。
【図９】図９は測定条件設定部の動作を示すフローチャートである。
【図１０】図１０は本発明の第二実施形態に係る放射線量測定装置が備える機能を示すブロック図である。
【図１１】図１１は一般的なマイクロコンピュータシステムのブロック図である。
【発明を実施するための形態】
【００１４】
＜第一実施形態＞
図１は本発明の第一実施形態に係る放射線量測定装置１００が備える機能を示すブロック図である。図２は放射線検知部１の機能を示すブロック図である。
【００１５】
放射線量測定装置１００は、放射線検知部１、パルス累積部２、演算制御部３、測定状態検知部４、出力部５および測定条件設定部６を有している。放射線検知部１およびパルス累積部２は、放射線量測定装置１００の装置本体に設けられ、所定時間Ｔごとに放射線を測定する測定手段として機能する。演算制御部３は、測定された放射線から放射線量を演算したり、各部を制御したりする。測定状態検知部４は、放射線量測定装置１００の測定状態を検知する測定状態センサー４１を有している。測定状態センサー４１は、放射線量測定装置１００の測定状態を検出する検出手段として機能する。測定状態は、たとえば、地表面や測定対象物からの距離、放射線量測定装置１００が水平かどうか、放射線量測定装置１００が向いている方角、放射線量測定装置１００に加えられた衝撃、放射線量測定装置１００に対する風の風量や風向などである。測定状態検知部４は、さらに、操作者が実行すべき操作を操作者に通知する測定方法通知部４２を有している。このように、測定方法通知部４２は、検出手段により検出された測定状態と記憶手段に記憶されている測定条件とが一致していない場合に、放射線量測定装置の測定状態を変更するよう通知する通知手段として機能する。出力部５は、線量や操作方法などをユーザーに出力する。測定条件設定部６は、地表面や測定対象物からの距離、放射線量測定装置１００が水平かどうか、放射線量測定装置１００が向いている方角、放射線量測定装置１００に加えられた衝撃、放射線量測定装置１００に対する風の風量や風向など許容量や閾値を設定し、設定値を保持している。
【００１６】
放射線検知部１は、放射線量を測定するセンサーであり、放射線を検知すると放射線を検知したことを示すパルス信号を出力する。放射線検出器７は、放射線を検知すると内部で電流の変化が発生するセンサーである。放射線検出器７は、たとえば、ガイガーミューラー計数管、半導体ダイオード（フォトダイオード）、シンチレータと光電子倍増管を組み合わせた装置（シンチレーション検出器）などである。増幅器８は、放射線検出器７が出力した電流を電圧に変換し、さらにそれを増幅して比較器９に出力する。比較器９は、増幅器８からの出力と基準値（閾値）ａとを比較して２値化を行う。比較器９は、出力が閾値ａを超えていなければ、パルス信号（検知パルスＰ）を出力しない。放射線検知部１は、命令Ｃを演算制御部３から受信すると起動して測定を実行する稼働モードに移行する。一方で、放射線検知部１は、命令Ｓを演算制御部３から受信すると測定を実行しない省電力モードに遷移する。
【００１７】
パルス累積部２は、パルス加算部２１とカウント部２２を有している。パルス加算部２１は、パルス出力部１２から入力されたパルスを累積的にカウントする。カウント部２２は、パルス加算部２１で累積加算された数値を記憶する。パルス累積部２は、命令Ｃを演算制御部３から受信すると起動してパルスの累積加算を実行する稼働（活性）モードに移行する。一方で、パルス累積部２は、命令Ｓを演算制御部３から受信すると累積加算を実行しない省電力（非活性）モードに遷移する。パルス加算部２１は、パルス出力部１２からパルスが出力されたかどうかを監視している。パルス出力部１２からパルスが出力されると、パルス加算部２１は、カウント部２２に記憶されているカウント値Ｉを読み出して１を加算して和（Ｉ＋１）を求める。そして、パルス加算部２１は、その演算結果である和（Ｉ＋１）を新しいカウント値Ｉとしてカウント部２２へ記憶する。パルス累積部２も、演算制御部３によって電力の供給を制御される。たとえば、パルス累積部２は、命令Ｃを演算制御部３から受信すると起動して累積処理を実行する稼働モードに移行する。一方で、パルス累積部２は、命令Ｓを演算制御部３から受信すると累積処理を実行しない省電力モードに遷移する。
【００１８】
出力部５は、視覚的な情報を出力する表示通知部５１、聴覚的な情報を出力する音声通知部５２、体感的な情報を出力する振動通知部５３を有している。
【００１９】
測定条件設定部６は、測定条件を入力するキーやボタンなどの測定条件入力部６１と、測定条件入力部６１を通じて入力された測定条件を記憶する測定条件記憶部６２とを有している。測定条件記憶部６２は、放射線量測定装置１００の測定条件を記憶する記憶手段として機能する。
【００２０】
図３は、演算制御部３の動作を示すフローチャートである。本フローチャートにかかる処理は、放射線量測定装置１００のメインスイッチがオンにされると、開始される。
【００２１】
Ｓ３０１で、演算制御部３は、初期設定を実行する。初期設定は、フラグのリセットや変数の初期化などである。
【００２２】
Ｓ３０２で、演算制御部３は、放射線検知部１、パルス累積部２、測定状態検知部４、出力部５および測定条件設定部６に命令Ｃを送信して、各部を起動する。
【００２３】
Ｓ３０３で、演算制御部３は、放射線の検知を開始してからの経過時間ｔが所定時間Ｔを超えたかどうかを判定する。所定時間Ｔを単位として、放射線検知部１が放射線を検知し、パルス累積部２がパルス数を累積する。放射線量の算出は、所定時間Ｔごとに実行される。つまり、所定時間Ｔは、放射線量測定のための処理を実行する時間間隔となる。なお、経過時間ｔが所定時間Ｔを超えるまでは、演算制御部３のうち放射線量の演算に関与する演算制御部３は動作を停止している。これは、できるだけ消費電力を削減するためである。演算制御部３は、内部にカウンタまたはタイマーを備えている。演算制御部３はこれらを用いて、放射線の検知を開始し手からの経過時間ｔ（放射線量の演算に関与する演算制御部３が停止してからの経過時間ｔ）を計時している。演算制御部３は、経過時間ｔが所定時間Ｔを超えたか否かを監視しており、経過時間ｔが所定時間Ｔを超えると、Ｓ３０４に進む。
【００２４】
Ｓ３０４で、演算制御部３は、パルス累積部２のカウント部２２に記憶されているパルス数ｋを読み出し、パルス数ｋをバッファ変数Ｋに代入する。演算制御部３は、カウント部２２に記憶されているパルス数ｋを消去する。
【００２５】
Ｓ３０５で、演算制御部３は、所定時間Ｔの間に検知された放射線の検知回数（パルス数）を示すバッファ変数Ｋに所定の校正定数を乗算して放射線量を求める。放射線量は、空間線量（ｎＧｙ）であってもよいし、吸収線量（μＳｖ）であってもよい。校正定数としては、たとえば、放射線検出器７の構成に応じた校正定数Ｘと、動的に変化する所定時間Ｔに応じた校正定数Ｙとがある。放射線検出器７の内部構成は設計段階で確定するため、この段階で校正定数Ｘも確定され、ＲＯＭなどに格納される。一方、校正定数Ｙは動的に変化する。所定時間Ｔに対応した校正定数Ｙを求める方法は数式を用いてもよいし、テーブルを使用してもよい。テーブルには、すべての組み合わせの所定時間Ｔと校正定数Ｙとが登録されていなくてもよい。この場合、演算制御部３が線形補間により、登録されていない校正定数Ｙを算出してもよい。
【００２６】
演算制御部３は、次式を用いて放射線量を求め、バッファ変数Ｒに代入する。
【００２７】
Ｒ  ＝  Ｋ・Ｘ・Ｙ
Ｓ３０６で、演算制御部３は、算出した放射線量を示すバッファ変数Ｒを出力部５に出力するための命令Ｏを発行することで、出力部５の表示通知部５１に放射線量を示す数値を出力させる。
【００２８】
図４は、測定状態が所定の測定条件を満たしていないときの割り込み処理を示すフローチャートである。割り込み処理は、図３に示したメインの処理と並列に実行されている。
【００２９】
Ｓ４０１で、演算制御部３は、割り込みが発生したかどうかを判定する。測定状態検知部４は、検知した測定状態が所定の測定条件を満たしていないと判定すると、割り込みを実行する。測定状態検知部４からの割り込みが発生すると、Ｓ４０２に進む。
【００３０】
Ｓ４０２で、演算制御部３は、測定状態検知部４から通知された操作方法を出力部５に出力させる。操作方法の出力は、表示通知部５１、音声通知部５２、振動通知部５３のいずれかによって実行される。表示通知部５１、音声通知部５２、振動通知部５３がすべて出力を実行してもよいし、演算制御部３によって指定された２つまたは１つが操作方法の出力を実行してもよい。ここで出力される操作方法は、たとえば、測定状態を変更すべきことをユーザーに促す通知、どのように測定状態を変更すべきかを示す通知、どの程度測定状態を変更すべきかを示す通知、測定状態と測定条件との差異を示す通知、測定状態と測定条件とがどの程度一致または不一致であるかを示す通知などである。このように、操作方法は、測定状態が測定条件に一致していないことを示す情報や、測定状態を測定条件に近づけるようにユーザーに促すことが可能な情報であれば十分であろう。
【００３１】
図５は、測定状態センサー４１を用いて検知される測定状態と、測定状態センサー４１として採用可能なセンサーの一例とを示す図である。図５が示すように、測定状態センサー４１は、測定対象物や地表面から放射線量測定装置１００の測定状態センサー４１までの距離、測定方向（放射線量測定装置１００の水平面からの傾き、放射線量測定装置１００が向いている方角や方位）、放射線検出器７の測定面を覆っている指やその他の障害物、放射線量測定装置１００加えられる衝撃、放射線量測定装置１００が設置された場所、放射線量測定装置１００の移動速度や加速度、放射線量測定装置１００の高度、放射線量測定装置１００に吹き付けている風の風向き、風量、風速などの測定状態を検知する。たとえば、超音波センサーや赤外線センサー、物体距離認識カメラなどは、測定対象物または地表面から放射線量測定装置までの距離を測定する距離測定手段として機能する。また、加速度センサーやジャイロセンサーなどは、放射線量測定装置１００が水平に設置されているかどうかを検出する水平測定手段として機能する。また、タッチセンサーや磁気センサーは、放射線検出器７が障害物によって遮蔽されているかどうかを検知する遮蔽検知手段として機能する。また、ＧＰＳセンサーや電子磁気コンパスなどは、放射線量測定装置１００が向いている方角を検知する方角検知手段として機能する。また、加速度センサーは、放射線量測定装置１００に加えられる衝撃を検知する衝撃検知手段として機能する。また、放射線量測定装置１００の高度、放射線量測定装置１００に対する風の風向、風量のうちいずれかを検出する手段が測定状態センサー４１に含まれていてもよい。
【００３２】
測定方法通知部４２は測定状態センサー４１を参照し、検知された測定状態を把握し、放射線量測定装置１００の測定状態を測定条件記憶部６２に記憶されている測定条件に適応させるための操作内容をユーザーに通知するための命令を演算制御部３に発行する。
【００３３】
測定状態検知部４は、検知する測定状態に依存して動作が異なる。ここでは放射線量測定装置１００の地表面からの距離、放射線の測定方向、放射線検知機構の遮蔽を測定条件として、それぞれについての適用例を示す。なお、測定状態検知部４では同時に複数の測定状態を検知してもよい。
【００３４】
＜地表面からの距離＞
図６は地表面から放射線量測定装置１００までの距離を測定条件とした適用例における測定状態検知部４の動作を示すフローチャートである。本適用例における測定状態センサー４１としては超音波距離センサーや赤外線距離センサー等を採用できる。演算制御部３が発行した命令ＣＷを受信すると、測定状態センサー４１及び測定方法通知部４２が動作を開始する。
【００３５】
Ｓ６０１で、測定状態検知部４は、測定条件記憶部６２から読み出した測定条件を測定方法通知部４２に設定するなどの初期設定を実行する。ここでの測定条件は、地表面から放射線量測定装置１００までの基準距離であり、たとえば、１ｍである。
【００３６】
Ｓ６０２で、測定状態センサー４１は、地表からの距離を測定する。
【００３７】
Ｓ６０３で、測定方法通知部４２は、測定状態センサー４１によって計測された測定状態と測定条件とを比較し、測定状態が測定条件を適切に満たしているかどうかを判定する。たとえば、測定状態センサー４１にて検知され地表面からの距離Ｄと、測定条件である基準距離ｄとが一致しているかどうかを判定する。距離Ｄが基準距離ｄに一致していれば、測定状態が測定条件を満たしているため、Ｓ６０４に進む。
【００３８】
Ｓ６０４で、測定方法通知部４２は、演算制御部３に割り込みを実行し、測定状態が測定条件を満たしていること（測定状態が良好であること）を示す通知命令Ａを発行して、Ｓ６０２へ進む。演算制御部３は、通知命令Ａを受信すると、測定状態が良好であることを示す通知を出力部５から出力する。
【００３９】
一方で、Ｓ６０３において、距離Ｄが基準距離ｄに一致していなければ、測定状態が測定条件を満たしていないため、Ｓ６０５に進む。Ｓ６０５で、測定方法通知部４２は、測定状態センサー４１によって計測された距離Ｄが基準距離ｄよりも長いかどうかを判定する。距離Ｄが基準距離ｄよりも長ければ、Ｓ６０６に進む。
【００４０】
Ｓ６０６で、測定方法通知部４２は、演算制御部３に割り込みを実行し、放射線量測定装置１００の保持位置を下降させるようユーザーに促すための通知命令Ｂを発行する。演算制御部３は、通知命令Ｂを受信すると、放射線量測定装置１００の保持位置を下降させることをユーザーに促す通知を出力部５から出力する。一方で、距離Ｄが基準距離ｄよりも長くなければ、すなわち、距離Ｄが基準距離ｄよりも短ければ、Ｓ６０７に進む。
【００４１】
Ｓ６０７で、測定方法通知部４２は、演算制御部３に割り込みを実行し、放射線量測定装置１００の保持位置を上昇させるようユーザーに促すための通知命令Ｃを発行する。演算制御部３は、通知命令Ｃを受信すると、放射線量測定装置１００の保持位置を上昇させることをユーザーに促す通知を出力部５から出力する。
【００４２】
とことで、測定方法通知部４２は、距離Ｄと基準距離ｄとの差分を算出し、この差分を演算制御部３に出力してもよい。演算制御部３は、距離Ｄと基準距離ｄとの差分を出力部５から出力することで、放射線量測定装置１００の保持位置の上昇や下降をユーザーに促してもよい。距離Ｄと基準距離ｄとの差分の情報は、ユーザーに操作方法を促すメッセージ（通知）とともに出力部５から出力されてもよい。
【００４３】
＜放射線量測定装置１００の傾き＞
図７は放射線の測定方向を測定条件とした適用例における測定状態検知部４の動作を示すフローチャートである。本適用例における測定状態センサー４１は３軸加速度センサー等を用いて構成することができる。演算制御部３が発行した命令ＣＷにしたがって、測定状態センサー４１および測定方法通知部４２が起動する。なお、放射線量測定装置１００の前後左右方向は、ユーザーが放射線量測定装置１００の出力部５を見たときの前後左右方向のことである。前後左右方向は説明をわかりやすくするための一例にすぎず、第１方向ないし第ｎ方向などと呼んでもよい（ｎは２以上の自然数）。
【００４４】
Ｓ７０１で、測定方法通知部４２は、測定状態センサー４１を初期設定し、測定可能な状態に移行させる。
【００４５】
Ｓ７０２で、測定方法通知部４２は、放射線量測定装置１００のセンサー面が地表面に対して平行（すなわち水平）になっているかどうかを判定するために、測定状態センサー４１にて左右方向の加速度Ｘ、前後方向の加速度Ｙおよび高さ方向の加速度Ｚを測定させる。
【００４６】
Ｓ７０３で、測定方法通知部４２は、測定状態センサー４１の測定結果に基づき放射線量測定装置１００が水平になっているかどうかを判定する。たとえば、測定方法通知部４２は、測定条件記憶部６２に設定されている設定値ｘ，ｙ，ｚを読み出し、測定結果である左右方向の加速度Ｘ、前後方向の加速度Ｙおよび高さ方向の加速度Ｚと比較し、水平かどうかを判定する。具体的には、次式を満たしているかどうかを論理演算により判定してもよい。次式が満たされていれば、放射線量測定装置１００が水平になっていないため、Ｓ７０５に進む。一方で、次式が満たされていなければ、放射線量測定装置１００が水平になっているため、Ｓ７０４に進む。このように、測定方法通知部４２および測定状態センサー４１は、測定状態センサー４１は、放射線量測定装置１００の測定状態として、放射線量測定装置１００が水平に設置されているかどうかを検出する水平測定手段として機能する。
【００４７】
Ｘ  ≠  ｘ  ∨  Ｙ  ≠  ｙ  ∨  Ｚ  ≠  ｚ
Ｓ７０４で、測定方法通知部４２は、測定状態が良好であることを通知するために割り込みを実行し、通知命令Ｄを発行する。その後、Ｓ７０２に戻る。
【００４８】
Ｓ７０５で、測定方法通知部４２は、測定状態センサー４１の測定結果に基づき放射線量測定装置１００が左右方向に対して傾いているかどうかを判定する。たとえば、測定方法通知部４２は、測定状態センサー４１にて検知した左右方向の加速度Ｘと対応する設定値ｘについて次式を用いて判定する。次式が満たされていれば、放射線量測定装置１００が左右のどちらかに傾いていることを意味するので、Ｓ７０６に進む。次式が満たされていなければ、放射線量測定装置１００が左右のどちらにも傾いていないことを意味するので、Ｓ７０９に進む。
【００４９】
Ｘ  ≠  ｘ
Ｓ７０６で、測定方法通知部４２は、放射線量測定装置１００が右方向に傾いているかどうかを判定する。たとえば、測定方法通知部４２は、測定状態センサー４１の測定結果である左右方向の加速度Ｘと対応する設定値ｘについて次式を用いて判定を実行する。次式が満たされていれば、放射線量測定装置１００が右方向に傾いていることを意味し、次式が満たされていなければ、放射線量測定装置１００が左方向に傾いていることを意味する。
【００５０】
Ｘ  ＞  ｘ
放射線量測定装置１００が右方向に傾いていれば、Ｓ７０７に進む。放射線量測定装置１００が左方向に傾いていれば、Ｓ７０８に進む。
【００５１】
Ｓ７０７で、測定方法通知部４２は、放射線量測定装置１００を左へ傾けて保持するよう指示するための通知を出力するために、割り込みを実行し、通知命令Ｅを発行する。その後、Ｓ７０２に戻る。
【００５２】
Ｓ７０８で、測定方法通知部４２は、放射線量測定装置１００を右へ傾けて保持するよう指示するための通知を出力するために、割り込みを実行し、通知命令Ｆを発行する。その後、Ｓ７０２に戻る。
【００５３】
Ｓ７０９で、測定方法通知部４２は、測定状態センサー４１の測定結果に基づき放射線量測定装置１００が前方向に対して傾いているかどうかを判定する。たとえば、測定方法通知部４２は、測定状態センサー４１により検知した前後方向の加速度Ｙと対応する設定値ｙについて次式を用いて判定を実行してもよい。次式を満足する場合は、放射線量測定装置１００が前方向に傾いているため、Ｓ７１０に進む。次式を満足しない場合は、放射線量測定装置１００が後方向に傾いているため、Ｓ７１１に進む。
【００５４】
Ｙ  ＞  ｙ
Ｓ７１０で、測定方法通知部４２は、放射線量測定装置１００を後方へ傾けて保持するよう指示するための通知を出力するために、割り込みを実行し、通知命令Ｇを発行する。その後、Ｓ７０２に戻る。
【００５５】
Ｓ７１１で、測定方法通知部４２は、放射線量測定装置１００を前方へ傾けて保持するよう指示するための通知を出力するために、割り込みを実行し、通知命令Ｈを発行する。その後、Ｓ７０２に戻る。
【００５６】
なお、測定方法通知部４２は、各通知命令とともに、どの程度どの方向に傾いているかや、どの程度どの方向に傾けるべきかを示す情報を出力部５に出力させてもよい。たとえば、測定方法通知部４２は、測定状態センサー４１にて検知した左右方向の加速度Ｘ、前後方向の加速度Ｙおよび高さ方向の加速度Ｚとそれぞれに対応する設定値ｘ，ｙ，ｚとから、前後左右方向の傾きを算出してもよい。また、測定方法通知部４２は、前後左右方向の傾きをから傾きの補正量を求め（右に１０度傾いていれば、補正量は左に１０度）てもよい。測定方法通知部４２は、通知命令とともに、前後左右方向の傾きや補正量を演算制御部３に出力することで、演算制御部３は出力部５にこれらの情報も操作方法とともに出力できるようになる。ユーザーは、より具体的にどの程度傾ければよいかを把握しやすくなろう。
【００５７】
＜遮蔽物からの解放＞
図８は、放射線検出器７のセンサー面を障害物等により遮蔽しないことを測定条件とした適用例における測定状態検知部４の動作を示すフローチャートである。本適用例における測定状態センサー４１は、たとえば、静電容量方式タッチセンサー等を用いて構成することができる。
【００５８】
Ｓ８０１で、測定方法通知部４２は、測定状態センサー４１を初期設定し、測定可能な状態に移行させる。
【００５９】
Ｓ８０２で、測定方法通知部４２は、放射線を検出するセンサーである放射線検出器７に体や指等の障害物（遮蔽物）が触れていることによってセンサー面（検出面）が遮蔽されているかどうかを、測定状態センサー４１の検出結果に基づき判定する。たとえば、測定状態センサー４１が検出した静電容量の変化量Ｅと、測定条件記憶部６２に記憶されている設定値ｅ（ここではｅ＝０と仮定する）とについて次式を用いて判定を実行する。
【００６０】
Ｅ  ≠  ０
上記の式が満たされている場合は、センサー面が障害物によって遮蔽されているため、Ｓ８０４に進む。一方で、上記の式が満たされていない場合は、センサー面が障害物によって遮蔽されていないため、Ｓ８０５に進む。
【００６１】
Ｓ８０５で、測定方法通知部４２は、測定状態が良好であることを通知するために、割り込みを実行し、通知命令Ｉを発行する。その後、Ｓ８０２に戻る。
【００６２】
Ｓ８０６で、測定方法通知部４２は、センサー面を障害物によって遮蔽しないよう指示するために、割り込みを実行し、通知命令Ｊを発行する。その後、Ｓ８０２に戻る。
【００６３】
＜出力部５の出力内容＞
表示通知部５１は、放射線検知部１によって測定された現在の放射線量、測定状態センサー４１によって検知された各測定状態の現在値や現在値と設定値の差分、放射線量測定装置１００の操作指示、測定状態が適切であることを示す通知、測定条件として設定されている設定値などを表示する。操作指示とは、上述した上昇、下降、前後左右方向への傾け、遮蔽の解除などである。表示通知部５１は、液晶ディスプレイ等の表示装置によって構成される。
【００６４】
音声通知部５２は、放射線検知部１によって測定された現在の放射線量、測定状態センサー４１によって検知された各測定状態の現在値や現在値と設定値の差分、放射線量測定装置１００の操作指示、測定状態が適切であることを示す通知、測定条件として設定されている設定値などを音声によって通知する機構である。音声通知部５２は、音声再生モジュール等によって構成される。
【００６５】
振動通知部５３は、操作指示として振動したり、測定状態が適切であることを通知するために振動したり、測定条件の設定値を設定する操作が発生したときに振動したりする機構である。振動通知部５３は、バイブレータ等によって構成される。
【００６６】
演算制御部３が命令ＣＷを発行すると、表示通知部５１、音声通知部５２および振動通知部５３の電源がＯＮとなる。また、演算制御部３が命令ＣＯを発行すると、表示通知部５１が、放射線量を示すバッファ変数Ｒの値を読み出して表示する。演算制御部３が命令ＣＩを発行すると、表示通知部５１は、各測定状態の現在値や現在値と設定値の差分、操作指示、測定状態が適切であることを示す通知、測定条件の設定値などを表示する。
【００６７】
また、演算制御部３が命令ＣＯを音声通知部５２に発行すると、音声通知部５２は、放射線量を示すバッファ変数Ｒの値を読み出し、音声によって通知する。また、演算制御部３が命令ＣＩを発行すると、音声通知部５２は、各測定状態の現在値や現在値と設定値の差分、操作指示、測定状態が適切あることを示す通知、測定条件の設定値などを音声によって通知する。
【００６８】
演算制御部３が命令ＣＩを振動通知部５３に発行すると、振動通知部５３は、操作指示、測定状態が適切であることを示す通知、測定条件の設定値に対する設定操作が発生したことを示す振動を発生させる。たとえば、上昇すべきときは振動を１回実行し、下降すべきときは振動を２回実行してもよい。
【００６９】
＜測定条件の設定＞
図９は、測定条件設定部６の動作を示すフローチャートである。演算制御部３が命令ＣＷを発行すると、測定条件入力部６１および測定条件記憶部６２が動作を開始する。
【００７０】
Ｓ９０１で、測定条件入力部６１は、キーやボタン操作によって設定の開始操作が行われたかどうかを判定する。設定の開始操作が行われると、Ｓ９０２に進む。設定の開始操作が行われていない場合、測定条件入力部６１はＳ９０１の判定処理を繰り返す。
【００７１】
Ｓ９０２で、測定条件入力部６１は、測定条件記憶部６２に記憶されている設定値ｓ１を読み出して、バッファ変数Ｓに代入する。
【００７２】
Ｓ９０３で、測定条件入力部６１は、バッファ変数Ｓに格納されている設定値をユーザーに通知するための通知命令Ｋを発行する。演算制御部３が通知命令Ｋを出力部５に転送すると、出力部５がバッファ変数Ｓを読み出し、視覚的または聴覚的に出力する。
【００７３】
Ｓ９０４で、測定条件入力部６１は、キーやボタン操作によって変更された設定値ｓ２をバッファ変数Ｓに代入することで、設定値を変更する。
【００７４】
Ｓ９０５で、測定条件入力部６１は、キーやボタン操作によって設定の確定操作が行われているかどうかを判定する。設定の確定操作が行われている場合はＳ９０６へ進む。設定の確定操作が行われていない場合はＳ９０３に戻る。
【００７５】
Ｓ９０６で、測定条件入力部６１は、バッファ変数Ｓに格納されている設定値を測定条件記憶部６２の設定値ｓ１へ記憶する。
【００７６】
ところで、放射線量測定装置１００は、外部にある情報処理装置（コンピュータ）と通信する通信部を備えていてもよい。これにより、放射線量測定装置１００は、放射線量の情報をコンピュータに送信できる。また、放射線量測定装置１００は、バッテリーでバックアップされるメモリや、ＥＥＰＲＯＭ、フラッシュメモリ（登録商標）に被爆線量の累積値を記憶してもよい。これにより、放射線量測定装置１００は、継続的に放射線量の累積加算を行って被爆線量を継続的に管理してもよい。
【００７７】
＜第二実施形態＞
以下、本発明の第二実施形態に係る放射線量測定装置について図面を参照しながら説明する。なお、ここでは第一実施形態と異なる部分のみを説明することで、第二実施形態の説明の簡明化を図ることにする。
【００７８】
図１０は本発明の第二実施形態に係る放射線量測定装置１００が備える機能を示すブロック図である。図１と図１０とを比較すると、測定状態検知部４に合致レベル通知部４３が追加されていることがわかる。その他の部分は、第一実施形態で説明したとおりである。
【００７９】
合致レベル通知部４３は、測定状態センサー４１によって測定された複数の測定状態が測定条件に対してどの程度合致しているかを示す合致レベルを算出し、出力部５に出力させるユニットである。合致レベル通知部４３は、演算制御部３からの命令ＣＷに基づいて動作を開始する。合致レベル通知部４３は、測定状態センサー４１によって測定された複数の測定状態と、測定条件記憶部６２に記憶されている測定条件とを比較し、複数の測定状態のうち何パーセントが測定条件を満たしているかを合致レベルＦとして算出してもよい。あるいは、合致レベル通知部４３は、測定条件ごとに発行される測定状態良好通知の数をカウントし、そのカウント値を合致レベルＦとし算出してもよい。このように、合致レベルＦは割合であってもよいし、合致している測定状態の数そのものであってもよい。合致レベル通知部４３は、合致レベルＦをバッファ変数ＳＦに格納する。合致レベル通知部４３は、合致レベルＦを通知するための通知命令Ｌを発行する。演算制御部３が通知命令Ｌを出力部５に転送すると、出力部５が合致レベルＦを格納しているバッファ変数ＳＦを読み出し、視覚的または聴覚的に出力する。
【００８０】
ところで、本実施形態の上述した機能は、センサーや論理回路により実現できるため、とりわけ論理回路で実現可能な部分をＣＰＵによって実現してもよい。
【００８１】
図１１は、一般的なマイクロコンピュータシステムのブロック図である。ＣＰＵ６０は、各部を統括的に制御したり、必要な演算処理を実行したりする。ＲＯＭ６７は制御プログラムなどを記憶する記憶部である。ＲＡＭ６８は、ワークメモリであり、上述したバッファ変数などを記憶する記憶部である。ＲＯＭ６７やＲＡＭ６８は、測定条件記憶部６２として機能する。入力装置６３はキーボードやスイッチ、タッチパネルなどである。表示装置６４は放射線量や測定状態などのデータや操作方法を表示する。表示装置６４は上述した表示通知部５１として機能する。音声出力装置６５は、警告音を出力するブザーや、音声を出力する音声出力回路およびスピーカーなどであり、放射線量や測定状態などのデータや操作方法を音声出力する。音声出力装置６５は上述した音声通知部５２として機能する。バイブレータ８０は、振動を発生し、たとえば、振動通知部５３として機能する。カウンタ６６は、放射線検知部１から出力されるパルスの数をカウントする。カウンタ６６は、パルス累積部２として機能する。測定状態を検知する各種のセンサーはＣＰＵ６０のＡ／Ｄポートなどに接続されている。
【００８２】
ＣＰＵ６０は、制御プログラムを実行することで、上述した機能のうち論理回路で実行可能な機能を実現する。たとえば、ＣＰＵ６０は、演算制御部３、測定状態検知部４の測定方法通知部４２、測定条件設定部６の測定条件入力部６１、出力部５のうち判定処理などの論理演算を実行する部分を実現する。ＣＰＵ６０が実行する制御プログラムに含まれている手順は上述した説明やフローチャートに示したとおりである。
【００８３】
図１１においては測定状態センサー４１として機能する多数のセンサーを示しているが、このすべてが必須というわけではない。測定状態を検知するために必要なセンサーが少なくとも１つあれば十分である。つまり、測定状態を何にするかやどのようにセンサーを組み合わせるかによって、必要となるセンサーは変わってくる。ＧＰＳセンサー７１は放射線量測定装置１００の位置を測定するセンサーである。加速度センサー７２は放射線量測定装置１００に加えられている加速度を測定するセンサーである。加速度センサー７２によって、前後左右方向への傾きや衝撃が検出される。距離センサー７３は測定対象や地表面までの距離を測定するセンサーである。方位センサー７４は放射線量測定装置１００がどの方位を指しているかを測定するセンサーである。高度センサー７５は放射線量測定装置１００の高度を測定するセンサーである。風向センサー７６は放射線量測定装置１００に吹き付けている大気（風）の風向を測定するセンサーである。風量センサー７７は放射線量測定装置１００に吹き付けている風の風量を測定するセンサーである。風速センサー７８は放射線量測定装置１００に吹き付けている風の風速を測定するセンサーである。遮蔽センサー７９は、放射線検知部１のセンサー面が遮蔽物によって遮蔽されているかどうかを検知する。
【００８４】
このように、第一実施形態および第二実施形態によれば、放射線量測定装置の測定状態を測定し、測定状態が所定の測定条件を満たしていなければ、放射線量測定装置の測定状態を変更するよう通知がなされる。よって、非専門家である一般人であっても、気軽に、容易に、効率良く、かつ、正確に放射線量を測定できるようになる。
【００８５】
また、測定状態検知部４および出力部５は、検出された測定状態と記憶されている測定条件との差異を通知してもよい。これにより、ユーザーは、測定状態が理想状態からどの程度ずれているかを把握しやすくなろう。
【００８６】
測定状態検知部４および出力部５は、測定状態を測定条件に近づけるための操作方法を通知してもよい。たとえば、放射線量測定装置１００を上昇させたり、下降させたり、前後上下左右方向に回転させたり、遮蔽物を取り除いった具体的な操作指示が出力されてもよい。これによりユーザーは、測定状態を測定条件に近づけるための操作を実行しやすくなろう。
【００８７】
測定状態検知部４および出力部５は、測定対象物または地表面から放射線量測定装置１００までの距離と、測定条件である距離閾値とに応じて、放射線量測定装置１００までの距離を距離閾値に近づけるように促す通知を出力してもよい。これによりユーザーは、測定対象物または地表面から放射線量測定装置１００までの距離を測定条件に一致させやすくなるため、より正確に測定を実施できるようになろう。
【００８８】
測定状態検知部４および出力部５は、放射線量測定装置１００が水平に設置されていなければ、放射線量測定装置１００を水平に設置するよう促す通知を出力してもよい。これにより、ユーザーは、放射線量測定装置１００が水平に設置しやすくなろう。
【００８９】
測定状態検知部４は、放射線量測定装置１００の左右前後方向における水平面から傾きを測定してもよい。また、測定状態検知部４および出力部５は、放射線量測定装置１００を左右前後方向のどちらの方向に傾けるべきかを通知してもよい。これにより、ユーザーは、放射線量測定装置１００を左右前後方向のどちらの方向に傾けるべきかを把握しやすくなろう。
【００９０】
測定状態センサー４１は、放射線検出器７が障害物によって遮蔽されているかどうかを検知する遮蔽検知手段として機能し、測定状態検知部４および出力部５は、放射線検出器７が障害物によって遮蔽されている場合に、放射線検出器７を障害物によって遮蔽しないように促す通知を出力してもよい。これにより、測定結果を誤らせるような障害物が放射線検出器７のセンサー面から取り除かれるため、より正確な測定結果が得られるようになろう。
【００９１】
測定状態センサー４１は、放射線量測定装置１００が向いている方角を検知する磁気コンパスなどの方角検知手段を備えていてもよい。測定状態検知部４および出力部５は、放射線量測定装置１００が向いている方角が測定条件を満たしていないときに、放射線量測定装置１００を所定の方角に向けるよう通知してもよい。これにより、ユーザーは、放射線量測定装置１００を所定の方角に対して容易に向けることが可能となろう。
【００９２】
測定状態センサー４１は、放射線量測定装置１００に加えられる衝撃を検知する加速度センサーなどの衝撃検知手段を有していてもよい。測定状態検知部４および出力部５は、衝撃が検知されると、衝撃を加えないように促す通知を出力してもよい。これにより、ユーザーは、放射線量測定装置１００に対して不用意に衝撃を与えないようになろう。また、ノイズが発生しにくくなり、測定精度も向上しよう。
【００９３】
測定状態センサー４１は、放射線量測定装置１００の複数の測定状態を検出してもよい。この場合、測定状態検知部４および出力部５は、検出された複数の測定状態と、それに対応して測定条件記憶部６２に記憶されている複数の測定条件とがどの程度一致しているかを示すデータを出力してもよい。これにより、ユーザーは、複数の測定条件がどの程度満たされているかを把握しやすくなり、測定結果の確からしさを事前に把握できるようになろう。
【図１】
2014126555.tif 000003
【図２】
2014126555.tif 000004
【図３】
2014126555.tif 000005
【図４】
2014126555.tif 000006
【図５】
2014126555.tif 000007
【図６】
2014126555.tif 000008
【図７】
2014126555.tif 000009
【図８】
2014126555.tif 000010
【図９】
2014126555.tif 000011
【図１０】
2014126555.tif 000012
【図１１】
2014126555.tif 000013